(57)【要約】【課題】  往路の撮影画像と復路の撮影画像を一覧画面上で容易に識別出来るようにする。【解決手段】  記録再生処理回路２８は、撮影画像とそのサムネイル、及び音声をメモリカード２４に記録する。記録再生処理回路２８は更に、ＧＰＳアンテナ１８及びＧＰＳ受信回路２０による位置情報と、時計回路２２からの時刻情報とをメモリカード２４のメタデータファイルに書き込む。インデックス画面生成回路３４は、メタデータファイルの位置情報を距離に換算し、距離軸上に各撮影画像を示す図形を配置する一覧画面を生成する。【選択図】  図１
2011029852.tif 000002
【特許請求の範囲】
【請求項１】
撮像手段と、
前記撮像手段の位置を検出し、位置情報を出力する位置検出手段と、
前記撮像手段により撮像される画像情報、及び、前記位置検出手段により検出される位置情報を、互いに関連つけて記録媒体に記録する記録手段と、
前記記録手段に記録される画像情報の一覧画面を生成する手段であって、前記位置情報から計算される移動距離に応じて各画像情報を示す図形を前記一覧画面に配置する一覧画面生成手段
とを有することを特徴とする画像記録装置。
【請求項２】
前記一覧画面生成手段は、前記一覧画面で、前記移動距離に比例した位置に前記各画像情報を示す図形を配置することを特徴とする請求項１に記載の画像記録装置。
【請求項３】
前記画像情報が動画像であり、前記画像情報を示す図形が、対応する画像情報である動画像の録画時間に応じた大きさで表示されることを特徴とする請求項１に記載の画像記録装置。
【請求項４】
前記位置情報が高度を含み、
前記一覧画面生成手段は、前記一覧画面で、前記高度に応じた位置に前記各画像情報を示す図形を配置することを特徴とする請求項１に記載の画像記録装置。
【請求項５】
更に、前記一覧画面で任意の画像情報が選択されると、選択された画像情報の異なる時刻の画像を並べて配置する一覧表示を生成し、切り替える手段を具備することを特徴とする請求項１に記載の画像記録装置。
【発明の詳細な説明】
【技術分野】
【０００１】
本発明は、画像記録装置に関する。
【背景技術】
【０００２】
【先行技術文献】
【特許文献】
【０００３】
【特許文献１】特開２００６−１４８５１４号公報
【０００４】
従来、ビデオカメラ等の撮像装置で撮影され、記録された画像を確認する方法として、サムネイル画像（動画像の場合には代表シーンのサムネイル画像）を表示する。通常、６枚とか９枚等の所定枚数のサムネイル画像を一覧表示する表示モードも備える。
【０００５】
特許文献１には、位置検出手段（ＧＰＳ受信機）による撮影位置情報を撮影映像に関連付けて記録し、撮影位置範囲の指定で撮影映像を検索し、地図上に表示することが記載されている。
【発明の概要】
【発明が解決しようとする課題】
【０００６】
地図上の撮影位置に撮影画像のサムネイル画像を表示する方式の場合、同じ撮影位置の画像が重なって表示され、判別が困難になる。例えば、旅行等で同じルートを往復する場合、往路での撮影と復路での撮影が同じ位置で行われると、それぞれのサムネイル画像が重なって表示されてしまう。
【０００７】
本発明は、このような不都合を解消した画像記録装置を提示することを目的とする。
【課題を解決するための手段】
【０００８】
本発明に係る画像記録装置は、撮像手段と、前記撮像手段の位置を検出し、位置情報を出力する位置検出手段と、前記撮像手段により撮像される画像情報、及び、前記位置検出手段により検出される位置情報を、互いに関連つけて記録媒体に記録する記録手段と、前記記録手段に記録される画像情報の一覧画面を生成する手段であって、前記位置情報から計算される移動距離に応じて各画像情報を示す図形を前記一覧画面に配置する一覧画面生成手段とを有することを特徴とする。
【発明の効果】
【０００９】
本発明によれば、距離軸上に撮影画像を示す図形を一覧表示するので、移動のどこで撮影を行ったものかが一目瞭然となる。
【図面の簡単な説明】
【００１０】
【図１】本発明の一実施例の概略構成ブロック図である。
【図２】メモリカードに格納されるファイルの説明図である。
【図３】メモリカードに格納されるメタデータファイルの内容例である。
【図４】インデックス画面例の説明図である。
【図５】インデックス画面例の説明図である。
【図６】インデックス画面例の説明図である。
【図７】タイムライン画面例の説明図である。
【発明を実施するための形態】
【００１１】
以下、図面を参照して、本発明の実施例を詳細に説明する。
【実施例１】
【００１２】
図１は、本発明に係る画像記録装置の一実施例であるビデオカメラの概略構成ブロック図を示す。
【００１３】
本実施例の構成と基本動作を説明する。撮像素子１０は、不図示の光学系による被写体の光学像を画像信号に変換する。映像信号処理回路１２は、撮像素子１０からの画像信号を符号化し、符号化画像データと、代表画像を示すサムネイルデータを生成する。マイク１４は、撮像装置本体の周辺の音や声を音声信号に変換する。音声信号処理回路１６は、マイク１４からの音声信号を符号化し、符号化音声データを出力する。
【００１４】
ＧＰＳアンテナ１８は、複数のＧＰＳ（Global Positioning System）衛星からの電波を受信する。ＧＰＳ受信回路２０は、ＧＰＳアンテナ１８の受信電波から現在の位置情報を出力する。ＧＰＳアンテナ１８及びＧＰＳ受信回路２０は、撮影位置を検出する位置検出手段として機能する。時計回路２２は、現在の時刻情報を出力する。
【００１５】
記録媒体としてのメモリカード２４は、不揮発性メモリ素子からなり、メモリカードスロット２６に着脱自在である。記録再生処理回路２８は、メモリカードスロット２６を介してメモリカード２４にデータを書き込みでき、メモリカード２４からデータを読み出すことが出来る。具体的には、映像信号処理回路１２、音声信号処理回路１６、ＧＰＳ受信回路２０及び時計回路２２の各出力データを、所定ファイル形式とファイル配置でメモリカード２４に書き込む。記録再生処理回路２８はまた、メモリカード２４に記録されるデータを読み出しでき、更新できる。
【００１６】
図２は、メモリカードに記録されるデータとその配置例を示す。ファイルＭＯＶＩＥ．ＬＳＴには、記録された動画像データのプレイリストである。ディレクトリＭＯＶＩＥの配下に動画像データファイルが配置される。動画像データファイルは、撮像素子１０による撮影画像情報とマイク１４による音声信号を所定の形式で圧縮符号化及び多重化したデータからなる。ディレクトリＴＨＵＭＢの配下に、各動画像データファイルに対応するサムネイルファイルが格納されている。サムネイルファイルは、対応する動画像データファイルのサムネイル画像データからなる。ディレクトリＭＥＴＡの配下には、対応する動画像データのメタデータファイルが格納されている。動画像データファイル、サムネイルファイル及びメタデータファイルは、ファイル名の拡張子以外の部分を同じにすることで、互いに対応することを示す。
【００１７】
図３は、メタデータファイルの内容例を示す。メタデータファイルには、一定時間ごとに、時刻と撮影位置情報を互いに関連させて格納される。図３に示す例では、１５秒間隔で記録されており、位置情報は、緯度、経度、高度及び精度の各情報からなる。メモリカード２４に記録される動画像データの各フレームには、時計回路２２から出力される時刻情報が撮影時刻として埋め込まれている。撮影時刻情報を媒介することで、撮影位置と、記録された動画像データの各フレーム画像とが互いに関連付けられる。
【００１８】
再生画像処理回路３０は、記録再生処理回路２８によりメモリカード２４から読み出された符号化画像データを復号化して、所定形式の映像信号（再生映像信号）を生成する。撮影情報画像生成回路３２は、記録再生処理回路２８によりメモリカード２４から読み出されたメタデータに基づいて、撮影情報画像を生成する。インデックス画面生成回路３４は、記録再生処理回路２８によりメモリカード２４から読み出されたサムネイルデータおよびシステム制御回路３６からの表示制御信号に従いインデックス画面を生成する。インデックス画面はいわゆる一覧画面であり、インデックス画面生成回路３４は、一覧画面生成手段である。
【００１９】
映像出力回路３８は、再生画像処理回路３０からの再生映像信号、撮影情報画像生成回路３２からの撮影情報画像、およびインデックス画面生成回路３４からのインデックス画面を選択又は合成し、液晶パネル４０と映像出力端子４２に出力する。
【００２０】
液晶パネル４０は、記録モードでは、撮影している被写体の画像を表示し、再生モードでは、記録映像信号の再生画像を表示する。映像出力端子４２は、記録モードでは、撮影中（撮影待機中を含む）の映像信号を出力し、再生モードでは、再生映像信号を出力する。
【００２１】
再生音声処理回路４４は、記録再生処理回路２８によりメモリカード２４から読み出された符号化音声データを復号化して音声信号を再生する。音声出力回路４６は、再生音声処理回路４４からの再生音声信号をスピーカ４８と音声出力端子５０に出力する。
【００２２】
スピーカ４８は、再生モードで再生音声を出力する。スピーカ４８は、記録モードでは、ハウリング防止のために音声出力しないように制御される。音声出力端子５０は、記録モードでは、記録している音声信号を出力し、再生モードでは、再生音声信号を出力する。
【００２３】
操作ユニット５２は、ユーザが操作するためのボタン類からなり、ユーザにより操作されたボタンに応じた操作信号をシステム制御回路３６に供給する。システム制御回路３６は、操作ユニット５２からの操作信号などに応じて、装置全体の動作を制御する。
【００２４】
本実施例の記録モードの動作を説明する。ユーザは、操作ユニット５２により記録モードへの遷移及び記録モードでの記録動作の開始と終了をシステム制御回路３６に指示できる。システム制御回路３６は、記録開始の指示に従い、記録再生処理回路２８に撮影画像と音声のメモリカード２４への記録を指示する。
【００２５】
具体的には、記録再生処理回路２８は、映像信号処理回路１２からの圧縮画像データと、音声信号処理回路１６からの圧縮音声データを多重化した動画像データをメモリカード２４に書き込む。動画像データは、メモリカード２４のディレクトリＭＯＶＩＥの配下に書き込まれ、プレイリストファイルＭＯＶＩＥ．ＬＳＴに動画像データファイル名が登録される。記録再生処理回路２８はまた、映像信号処理回路１２が生成したサムネイルデータをメモリカード２４のディレクトリＴＨＵＭＢに書き込む。ファイル名は、拡張子を除いて、対応する動画像データファイルのファイル名と同じである。これにより、動画像データファイルとの対応が分かる。
【００２６】
記録再生処理回路２８は、記録動作中、定期的に、ＧＰＳ受信回路２０からの測位情報と、時計回路２２からの時刻情報を含むメタデータを生成し、メモリカード２４にディレクトリＭＥＴＡの配下に書き込む。メタデータのファイル名は、拡張子を除いて、対応する動画像データファイルのファイル名と同じである。これにより、動画像データファイル及びサムネイルデータファイルとの対応が分かる。
【００２７】
記録モード中、記録再生処理回路２８は、映像信号処理回路１２からの圧縮画像データを再生画像処理回路３０に供給し、音声信号処理回路１６からの圧縮音声データを再生音声処理回路４４に供給する。再生画像処理回路３０は、記録再生処理回路２８からの圧縮画像データを復号化し、所定形式の映像信号を生成する。再生音声処理回路４４は、記録再生処理回路２８からの圧縮音声データを復号化する。記録再生処理回路２８はまた、記録中のメタデータを撮影情報画像生成回路３２に供給し、撮影情報画像生成回路３２は、当該メタデータに基づいて情報表示画像を生成する。
【００２８】
システム制御回路３６は映像出力回路３８に指示して、再生画像処理回路３０からの映像信号と撮影情報画像生成回路３２からの情報表示画像を合成した映像信号を液晶パネル４０および映像出力端子４２に出力させる。これにより、撮影者又は使用者は、撮影中の画像と撮影条件を液晶パネル４０の画面上で確認でき、映像出力端子４２に接続する外部機器での画像表示又は録画が可能になる。
【００２９】
システム制御回路３６は音声出力回路４６に指示して、再生音声処理回路４４からの音声信号を音声出力端子５０に出力させる。これにより、音声出力端子５０に接続する外部機器での音声出力又は録音が可能になる。
【００３０】
ユーザが操作ユニット５２を操作して記録動作の終了をシステム制御回路３６に指示すると、システム制御回路３６は、停止モードに遷移し、記録再生処理回路２８を停止モードにする。
【００３１】
本実施例の再生モードでの動作を説明する。ユーザは、操作ユニット５２により再生モードへの遷移と、再生モードでの再生対象の選択、再生開始／終了をシステム制御回路３６に指示出来る。システム制御回路３６は、再生モードへの遷移の指示に応じて、記録再生処理回路２８を再生モードにする。
【００３２】
記録再生処理回路２８は、メモリカード２４のファイルＭＯＶＩＥ．ＬＳＴを参照して、再生すべき動画像データファイルの順序を決定する。記録再生処理回路２８は、決定した順序に従う動画像データファイルをメモリカード２４から読み出し、圧縮画像データと圧縮音声データに分離する。分離された圧縮画像データは、再生画像処理回路３０に供給され、分離された圧縮音声データは再生音声処理回路４４に供給される。記録再生処理回路２８はまた、ディレクトリＭＥＴＡから、拡張子を除いて当該動画像データファイルと同じファイル名のメタデータファイルを読み出す。
【００３３】
再生画像処理回路３０は、記録再生処理回路２８からの圧縮画像データを復号化し、所定形式の映像信号（再生映像信号）を生成する。再生音声処理回路４４は、記録再生処理回路２８からの圧縮音声データを復号化する。記録再生処理回路２８はまた、メモリカード２４から読み出したメタデータを撮影情報画像生成回路３２に供給し、撮影情報画像生成回路３２は、当該メタデータに基づいて情報表示画像を生成する。
【００３４】
システム制御回路３６は映像出力回路３８に指示して、再生画像処理回路３０からの映像信号と撮影情報画像生成回路３２からの情報表示画像を合成した映像信号を液晶パネル４０および映像出力端子４２に出力させる。これにより、撮影者又は使用者は、再生画像とその撮影条件を液晶パネル４０の画面上で確認でき、映像出力端子４２に接続する外部機器での画像表示又は録画が可能になる。
【００３５】
システム制御回路３６は音声出力回路４６に指示して、再生音声処理回路４４からの音声信号をスピーカ４８及び音声出力端子５０に出力させる。スピーカ４８の出力音声で、記録音声を確認できる。また、音声出力端子５０に接続する外部機器での音声出力又は録音が可能になる。
【００３６】
ユーザが操作ユニット５２を操作して再生動作の終了をシステム制御回路３６に指示すると、システム制御回路３６は、停止モードに遷移し、記録再生処理回路２８を停止モードにする。
【００３７】
停止モードでは、システム制御回路３６は、記録再生処理回路２８をインデックス表示モードにする。インデックス表示モードの記録再生処理回路２８は、システム制御回路３６から要求されるサムネイルデータをメモリカード２４から読み出す。インデックス画面生成回路３４は、読み出されたサムネイルデータを複数配置したインデックス画面を生成する。映像出力回路３８は、インデックス表示モードでは、インデックス画面生成回路３４からのインデックス画面を示す映像信号を液晶パネル４０および映像出力端子４２に出力する。
【００３８】
図４乃至図６は、本実施例のインデックス画面例を示す。
【００３９】
図４に示すインデックス画面例を説明する。インデックス画面４００上にサムネイル表示領域４１０と位置関係表示領域４２０が左右に並んで設定され、これらの下に移動距離図形４３０が表示される。
【００４０】
サムネイル表示領域４１０には、選択された動画像のサムネイル画像が表示される。
【００４１】
位置関係表示領域４２０には、撮影位置を水平面内の相対的な位置関係として丸記号（○，◎）４２１，４２２で模式的に表示している。丸記号（○，◎）４２１，４２２を接続する線が、撮影順序を示す。図４に示す例では、丸記号４２１は、最初の撮影位置を示す。二重丸記号（◎）４２２は、選択中の画像の撮影位置、すなわち、サムネイル表示領域４１０に表示しているサムネイルの撮影位置を示す。
【００４２】
移動距離図形４３０は、撮影位置を移動距離に換算して示す図形である。左端の丸記号（○）４３１は最初の撮影位置を示す図形であり、右端の丸記号は現状で最後の撮影位置を示す図形である。二重丸記号（◎）４３２は、選択中の画像の撮影位置、すなわち、サムネイル表示領域４１０に表示しているサムネイルの撮影位置を示す。移動距離図形４３０の下には、最初の撮影位置からの距離が数値で表示される。この距離は、インデックス画面生成回路３４がメタデータファイルの位置情報から計算する。このようにして、一覧画面上に、移動距離に応じて又は比例して、各画像情報を示す図形を配置した図形が表示されることになる。
【００４３】
図５に示すインデックス画面例を説明する。インデックス画面５００上にサムネイル表示領域５１０と位置関係表示領域５２０が左右に並んで設定され、これらの下に移動距離図形５３０が表示される。
【００４４】
サムネイル表示領域５１０には、選択された動画像のサムネイル画像が表示される。
【００４５】
位置関係表示領域５２０には、撮影位置を水平面内の相対的な位置関係として長円記号５２１，５２２で模式的に表示している。長円記号５２１，５２２の長円は、撮影（録画）を実行しながらの移動を示す。長円記号５２１，５２２を接続する線が、撮影順序を示す。図５に示す例では、長円記号５２１は、最初の撮影位置を示す。二重長円記号５２２は、選択中の画像の撮影位置、すなわち、サムネイル表示領域５１０に表示しているサムネイルの撮影位置を示す。
【００４６】
移動距離図形５３０は、撮影位置を移動距離に換算して示し、同時に高度も示す。ここでも、左端の長円記号５３１は最初の撮影位置を示し、右端の長円記号は現状で最後の撮影位置を示す。二重長円記号５３２は、選択中の画像の撮影位置、すなわち、サムネイル表示領域５１０に表示しているサムネイルの撮影位置を示す。長円記号５３１，５３２内には、各撮影（録画）の移動距離が数値で付記されている。移動距離図形５３０の下には、最初の撮影位置からの距離が数値で表示される。移動距離図形５３０の上下のずれは、高度の相違を反映しており、右側に符号５５１，５５２で示すように、高度値が付記される。
【００４７】
図６に示すインデックス画面例を説明する。インデックス画面６００上にサムネイル表示領域６１０と位置関係表示領域６２０が左右に並んで設定され、これらの下に移動距離図形６３０が表示される。
【００４８】
サムネイル表示領域６１０には、選択された動画像のサムネイル画像が表示される。
【００４９】
位置関係表示領域６２０には、位置関係表示領域５２０と同様の情報が同様に表示される。すなわち、撮影位置を水平面内の相対的な位置関係として長円記号６２１，６２２が、長円記号５２１，５２２と同様に、模式的に表示される。二重長円記号６２２は、選択中の画像の撮影位置、すなわち、サムネイル表示領域６１０に表示しているサムネイルの撮影位置を示す。
【００５０】
移動距離図形６３０は、撮影位置を移動距離に換算して示す。移動距離図形５３０とは異なり、高度を示さない。左端の長円記号６３１は最初の撮影位置を示し、右端の長円記号は現状で最後の撮影位置を示す。二重長円記号６３２は、選択中の画像の撮影位置、すなわち、サムネイル表示領域６１０に表示しているサムネイルの撮影位置を示す。長円記号の長さは、この長円記号が示す動画象の録画時間を反映するように調整される。移動距離図形６３０の下には、最初の撮影位置からの相対移動時間６４１，６４２が数値で表示される。相対移動時間は、インデックス画面生成回路３４が、メタデータファイルの時刻情報から計算する。
【００５１】
図７は、インデックス画面４００，５００又は６００で何れかの動画像を選択した場合のタイムライン画面の表示例を示す。タイムライン画面７００には、サムネイル表示領域７１０と、その右側に、撮影情報表示領域７２０とインターバル間隔情報表示領域７３０が設定される。撮影情報表示領域７２０には、選択された画像の撮影情報が表示される。インターバル間隔情報表示領域７３０には、タイムライン表示領域に表示するシーンの、予め設定されたインターバル間隔を表示する。
【００５２】
サムネイル表示領域７１０とインターバル間隔情報表示領域７３０の下側にタイムライン表示領域７４０が設定される。タイムライン表示領域７４０には、選択された動画像の、予め設定されたインターバル間隔ごとのシーン（のサムネイル画像）が時間順に表示される。タイムラインカーソル７４１で、任意のシーンを選択又は指定する。各シーンの下側にタイムバー７５０が表示され、タイムラインカーソル７４１で選択されたシーンの全体に対する時間位置が、タイムバー７５０上のスライダ７５１の位置で示される。タイムバー７５０は、インデックス画面４００，５００又は６００で選択した動画像の最初を左端とし、最後を右端とした時間軸として表現される。
【００５３】
タイムライン表示領域７４０のタイムラインカーソル７４１で選択されたシーンのサムネイル画像が、サムネイル表示領域７１０に表示され、撮影情報が撮影情報表示領域７２０に表示される。
【００５４】
この状態で、ユーザが不図示の選択決定ボタンを操作すると、選択中のシーンから動画像の再生が開始される。
【００５５】
本実施例によれば、記録画像の一覧表示で、撮影位置情報に従い移動に応じてサムネイルを一覧表示するので、例えば、同じ経路を往復する場合であっても、往路の撮影画像と復路の撮影画像を明確に区別出来るように表示出来る。
【符号の説明】
【００５６】
２４：メモリカード
２０：ＧＰＳ受信回路
２２：時計回路
２８：記録再生処理回路
３４：インデックス画面生成回路
３６：システム制御回路
【図１】
2011029852.tif 000003
【図２】
2011029852.tif 000004
【図３】
2011029852.tif 000005
【図４】
2011029852.tif 000006
【図５】
2011029852.tif 000007
【図６】
2011029852.tif 000008
【図７】
2011029852.tif 000009